(57)【要約】    【課題】運動性と衝撃緩和性とに優れたインソールの提供。    【解決手段】インソール６は、ベース１０と、指球部１２と、踵部１４と、拇指部１６と、補強シート１８とを備えている。指球部１２の反発弾性率Ｒｐは、ベース１０の反発弾性率Ｒｂよりも大きい。比（Ｒｐ／Ｒｂ）は、１．１以上１．９以下である。この指球部１２は、運動性に寄与する。踵部１４の反発弾性率Ｒｈは、ベース１０の反発弾性率Ｒｂよりも小さい。比（Ｒｈ／Ｒｂ）は、０．１以上１．０以下である。この踵部１４は、衝撃緩和性に寄与する。拇指部１６の反発弾性率Ｒｔは、ベース１０の反発弾性率Ｒｂよりも大きい。比（Ｒｔ／Ｒｂ）は、１．１以上１．９以下である。この拇指部１６は、運動性に寄与する。補強シート１８は、ベース１０よりも高硬度の材質からなる。この補強シート１８は、靴の安定性に寄与する。【選択図】図４
2005204902.tif 000002
【特許請求の範囲】
【請求項１】
ベースと、このベースとは材質の異なる指球部及び踵部を備えており、この指球部の材質と踵部の材質とが互いに異なるインソール。
【請求項２】
指球部の反発弾性率がベースの反発弾性率よりも大きく、踵部の反発弾性率がベースの反発弾性率よりも小さい請求項１に記載のインソール。
【請求項３】
上記指球部の反発弾性率Ｒｐとベースの反発弾性率Ｒｂとの比（Ｒｐ／Ｒｂ）が１．１以上１．９以下であり、踵部の反発弾性率Ｒｈとベースの反発弾性率Ｒｂとの比（Ｒｈ／Ｒｂ）が０．１以上０．９以下である請求項２に記載のインソール。
【請求項４】
拇指部をさらに備えており、この拇指部の反発弾性率がベースの反発弾性率よりも大きい請求項１から３のいずれかに記載のインソール。
【請求項５】
上記拇指部の反発弾性率Ｒｔとベースの反発弾性率Ｒｂの比（Ｒｔ／Ｒｂ）が１．１以上１．９以下である請求項４に記載のインソール。
【請求項６】
ベースと、このベースとは材質の異なる指球部及び踵部を備えており、この指球部の材質と踵部の材質とが互いに異なるインソールを備えた靴。
【発明の詳細な説明】
【技術分野】
【０００１】
本発明は、ゴルフ靴、テニス靴、登山靴、ジョギング靴、ウォーキング靴等の靴に関する。詳細には、本発明は、靴のインソールに関する。
【背景技術】
【０００２】
ヒトが運動する際、靴は地面と足との間に位置する。この靴には、衝撃緩和性が必要である。特開平１０−４２９０７号公報には、踵部、拇指球部及び五指球部を結ぶ三角形状の領域に衝撃吸収材が用いられたインソールが開示されている。
【特許文献１】特開平１０−４２９０７号公報
【発明の開示】
【発明が解決しようとする課題】
【０００３】
ヒトが運動するときは、指球部、拇指部及び踵部に力が集中する。詳細には、着地時には主として踵部に力が加わり、キックの際には主として指球部及び拇指部、特に指球部に力が加わる。
【０００４】
前述の公報に記載されたインソールでは、主として踵部が寄与する着地における衝撃は、緩和される。しかし、主として指球部が寄与するキックでは、衝撃吸収材によって反力が弱められる。このインソールは、運動性に劣る。本発明の目的は、踵部と指球部とが異なる機能を果たすインソールの提供にある。
【課題を解決するための手段】
【０００５】
本発明に係るインソールは、ベースと、このベースとは材質の異なる指球部及び踵部とを備える。この指球部の材質と踵部の材質とは、互いに異なる。
【０００６】
好ましくは、指球部の反発弾性率はベースの反発弾性率よりも大きく、踵部の反発弾性率はベースの反発弾性率よりも小さい。
【０００７】
好ましくは、指球部の反発弾性率Ｒｐとベースの反発弾性率Ｒｂとの比（Ｒｐ／Ｒｂ）は、１．１以上１．９以下である。踵部の反発弾性率Ｒｈとベースの反発弾性率Ｒｂとの比（Ｒｈ／Ｒｂ）は、０．１以上０．９以下である。
【０００８】
好ましくは、インソールは、拇指部をさらに備える。この拇指部の反発弾性率は、ベースの反発弾性率よりも大きい。好ましくは、拇指部の反発弾性率Ｒｔとベースの反発弾性率Ｒｂの比（Ｒｔ／Ｒｂ）は、１．１以上１．９以下である。
【発明の効果】
【０００９】
このインソールでは、踵部と指球部とが異なる機能を果たす。
【発明を実施するための最良の形態】
【００１０】
以下、適宜図面が参照されつつ、好ましい実施形態に基づいて本発明が詳細に説明される。
【００１１】
図１は、本発明の一実施形態に係る靴２が示された部分切り欠き正面図である。この靴２は、右足用である。この靴２は、アウトソール４、インソール６及びアッパー８を備えている。
【００１２】
図２は図１の靴２のインソール６が示された斜視図であり、図３（ａ）はその平面図であり、図３（ｂ）はその正面図であり、図４はその底面図であり、図５（ａ）は図４のＡ−Ａ線に沿った断面図であり、図５（ｂ）は図３のＢ−Ｂ線に沿った断面図であり、図５（ｃ）は図３のＣ−Ｃ線に沿った断面図であり、図５（ｄ）は図３のＤ−Ｄ線に沿った断面図である。このインソール６は、ベース１０と、指球部１２と、踵部１４と、拇指部１６と、補強シート１８と、生地２０とを備えている。
【００１３】
平面図におけるベース１０の輪郭は、ヒトの足の形状に近似している。ベース１０は、ポリマー成形体からなる。好適な基材ポリマーとしては、エチレン−酢酸ビニル共重合体、ポリウレタン、ブタジエンゴム、クロロプレンゴム、イソプレンゴム、ブチルゴム及びスチレンブタジエンゴムが例示される。強度、成形性等に優れるエチレン−酢酸ビニル共重合体が特に好ましい。ベース１０は、多孔質の発泡体である。この発泡体の気泡により、ベース１０に柔軟性及び衝撃吸収性が付与される。ベース１０の発泡倍率は、１．５倍から１０倍が好ましい。ベース１０の厚みは、１ｍｍ以上７ｍｍ以下が好ましい。ベース１０のＣ硬度は、４０以上５０以下、さらには４０以上４５以下が好ましい。本明細書においてＣ硬度とは、「ＪＩＳ  Ｋ６３０１」の規定に準拠してスプリング式硬度計Ｃ型で測定された硬度を意味する。
【００１４】
指球部１２は、足の指の付け根に対応する。指球部１２は、ベース１０に囲まれている。指球部１２は、多孔質のポリマー成形体からなる。指球部１２に好適な基材ポリマーとしては、エチレン−酢酸ビニル共重合体、ポリウレタン、ブタジエンゴム、クロロプレンゴム、イソプレンゴム、ブチルゴム及びスチレンブタジエンゴムが例示される。指球部１２の材質とベース１０の材質とは、互いに異なる。本発明において「材質が異なる」とは、用いられる素材、配合比率、発泡倍率、熱履歴等の相違によって互いの物性値が異なることを意味する。
【００１５】
指球部１２の反発弾性率Ｒｐは、ベース１０の反発弾性率Ｒｂよりも大きい。この指球部１２は、反発弾性に優れる。図６から明らかなように、ヒトが地面をキックするとき、指球部１２には大きな力が加わる。反発弾性に優れた指球部１２を備えた靴２は、運動性に優れている。指球部１２の反発弾性率Ｒｐとベース１０の反発弾性率Ｒｂとの比（Ｒｐ／Ｒｂ）は、１．１以上１．９以下が好ましい。この比（Ｒｐ／Ｒｂ）が上記範囲未満であると、指球部１２の反発弾性が損なわれることがある。この観点から、比（Ｒｐ／Ｒｂ）は１．２以上がより好ましく、１．３以上が特に好ましい。比（Ｒｐ／Ｒｂ）が上記範囲を超えると、指球部１２が高硬度であることに起因して靴２の履き心地が損なわれる恐れがある。この観点から、比（Ｒｐ／Ｒｂ）は１．８以下がより好ましく、１．７以下が特に好ましい。指球部１２の反発弾性率Ｒｐは、７０％以上、さらには７５％以上が好ましく、９５％以下、さらには９０％以下が好ましい。ベース１０の反発弾性率Ｒｂは、４０％以上、さらには４５％以上が好ましく、７０％以下、さらには６５％以下が好ましい。
【００１６】
反発弾性率は、「ＪＩＳ  Ｋ  ６２５５」に規定される「リュプケ式反発弾性試験」によって測定された反発高さと落下高さとから、下記数式によって算出される。
反発弾性率（％）＝（反発高さ／落下高さ）・１００
試験に供される試験片は、「ＪＩＳ  Ｋ  ６２５０」の「７．５．２」に準拠して、型加硫で作製される。試験片の形状は円柱状であり、直径は２９ｍｍであり、厚みは１２．５ｍｍである。測定に先立ち、試験片は真空吸着保持される。試験温度は、２３℃である。
【００１７】
指球部１２の厚みは、１ｍｍ以上が好ましい。厚みが１ｍｍ未満であると、靴２の運動性が不十分となるおそれがある。この観点から、厚みは２ｍｍ以上がより好ましく、３ｍｍ以上が特に好ましい。厚みは通常、７ｍｍ以下である。
【００１８】
反発弾性と履き心地との両立の観点から、指球部１２がベース１０よりも低硬度であることが好ましい。両者の高度差は、５以上１０以下が好ましい。指球部１２のＣ硬度は、３０以上３５以下が好ましい。
【００１９】
踵部１４は、足の踵に対応する。踵部１４は、ベース１０に囲まれている。踵部１４は、多孔質のポリマー成形体からなる。踵部１４に好適な基材ポリマーとしては、エチレン−酢酸ビニル共重合体、ポリウレタン、ブタジエンゴム、クロロプレンゴム、イソプレンゴム、ブチルゴム及びスチレンブタジエンゴムが例示される。踵部１４の材質とベース１０の材質とは、互いに異なる。踵部１４の材質は、指球部１２の材質とも異なる。
【００２０】
踵部１４の反発弾性率Ｒｈは、ベース１０の反発弾性率Ｒｂよりも小さい。この踵部１４は、衝撃緩和性に優れる。ヒトが着地するときは、踵部１４に大きな力が加わる。衝撃緩和性に優れた踵部１４を備えた靴２は、ヒトの足の障害を防止する。踵部１４の反発弾性率Ｒｈとベース１０の反発弾性率Ｒｂとの比（Ｒｈ／Ｒｂ）は、０．１以上０．９以下が好ましい。この比（Ｒｈ／Ｒｂ）が上記範囲未満であると、靴２の安定性が損なわれることがある。この観点から、比（Ｒｈ／Ｒｂ）は０．２以上がより好ましく、０．３以上が特に好ましい。比（Ｒｈ／Ｒｂ）が上記範囲を超えると、踵部１４の衝撃吸収性能が不十分となる恐れがある。この観点から、比（Ｒｈ／Ｒｂ）は０．８以下がより好ましく、０．７以下が特に好ましい。踵部１４の反発弾性率Ｒｈは、１０％以上、さらには１５％以上が好ましく、４０％以下、さらには３５％以下が好ましい。
【００２１】
踵部１４の厚みは、１ｍｍ以上が好ましい。厚みが１ｍｍ未満であると、衝撃緩和性が不十分となるおそれがある。この観点から、厚みは２ｍｍ以上がより好ましく、３ｍｍ以上が特に好ましい。厚みは通常、７ｍｍ以下である。  
【００２２】
衝撃緩和性の観点から、踵部１４がベース１０よりも低硬度であることが好ましい。両者の高度差は、５以上１０以下が好ましい。踵部１４のＣ硬度は、３０以上３５以下が好ましい。
【００２３】
体重が加わると、踵部１４の変形により足の踵が沈み込む。踵部１４の変形は、足の安定性を損なうおそれがある。図５（ｄ）に示されるように踵部１４はカップ状なので、踵部１４が足の踵を包み込む。この包み込みにより、安定性が高められる。
【００２４】
拇指部１６は、足の親指に対応する。拇指部１６は、ベース１０に囲まれている。拇指部１６は、多孔質のポリマー成形体からなる。拇指部１６に好適な基材ポリマーとしては、エチレン−酢酸ビニル共重合体、ポリウレタン、ブタジエンゴム、クロロプレンゴム、イソプレンゴム、ブチルゴム及びスチレンブタジエンゴムが例示される。拇指部１６の材質とベース１０の材質とは、互いに異なる。拇指部１６の材質は、指球部１２の材質と同一であってもよい。拇指部１６が設けられなくてもよい。拇指部１６が設けられない場合は、この拇指部１６に相当する部分に、ベース１０の材料が充填される。
【００２５】
拇指部１６の反発弾性率Ｒｔは、ベース１０の反発弾性率Ｒｂよりも大きい。この拇指部１６は、反発弾性に優れる。図６から明らかなように、ヒトが地面をキックするとき、指球部１２と共に拇指部１６にも大きな力が加わる。反発弾性に優れた拇指部１６を備えた靴２は、運動性に優れている。拇指部１６の反発弾性率Ｒｔとベース１０の反発弾性率Ｒｂとの比（Ｒｔ／Ｒｂ）は、１．１以上１．９以下が好ましい。この比（Ｒｔ／Ｒｂ）が上記範囲未満であると、拇指部１６の反発弾性が損なわれることがある。この観点から、比（Ｒｔ／Ｒｂ）は１．２以上がより好ましく、１．３以上が特に好ましい。比（Ｒｔ／Ｒｂ）が上記範囲を超えると、拇指部１６が高硬度であることに起因して靴２の履き心地が損なわれる恐れがある。この観点から、比（Ｒｔ／Ｒｂ）は１．８以下がより好ましく、１．７以下が特に好ましい。拇指部１６の反発弾性率Ｒｔは、７０％以上、さらには７５％以上が好ましく、９５％以下、さらには９０％以下が好ましい。
【００２６】
拇指部１６の厚みは、１ｍｍ以上が好ましい。厚みが１ｍｍ未満であると、靴２の運動性が不十分となるおそれがある。この観点から、厚みは２ｍｍ以上がより好ましく、３ｍｍ以上が特に好ましい。厚みは通常、７ｍｍ以下である。
【００２７】
反発弾性と履き心地との両立の観点から、拇指部１６がベース１０よりも低硬度であることが好ましい。両者の高度差は、５以上１０以下が好ましい。拇指部１６のＣ硬度は、３０以上３５以下が好ましい。
【００２８】
図５（ｃ）から明らかなように、補強シート１８はベース１０の底面に張り合わされている。補強シート１８は、ヒトの足の土踏まずに対応する部分に位置している。この補強シート１８は、ベース１０よりも高硬度の材質からなる。両者の硬度差は、２０以上４０以下が好ましい。補強シート１８のＣ硬度は、７０以上８０以下が好ましい。この補強シート１８により、ベース１０の形状が保持される。補強シート１８は、足の安定性に寄与する。補強シート１８はまた、靴２の過剰な屈曲を防ぐ。この補強シート１８と指球部１２との相乗効果により、靴２の運動性が高められる。
【００２９】
図５（ａ）から明らかなように、生地２０はベース１０の上面に張り合わされている。生地２０は、指球部１２、踵部１４及び拇指部１６の上面をも覆っている。生地２０には通常、編布が用いられる。生地２０により、インソール６と足との摩擦係数が高められている。
【００３０】
図４及び図５から明らかなように、指球部１２及び拇指部１６には、多数の貫通孔２２が形成されている。この貫通孔２２は、生地２０をも貫通している。貫通孔２２により摩擦係数が高められ、インソール６と足とのスリップが抑制される。反発弾性に優れた指球部１２及び拇指部１６と、スリップを抑制する貫通孔２２との相乗効果により、靴２の運動性が高められる。
【００３１】
図７（ａ）は本発明の他の実施形態に係るインソール２４が示された平面図であり、図７（ｂ）はその正面図であり、図８はその底面図であり、図９（ａ）は図８のＡ−Ａ線に沿った断面図であり、図９（ｂ）は図７のＢ−Ｂ線に沿った断面図であり、図９（ｃ）は図７のＣ−Ｃ線に沿った断面図であり、図９（ｄ）は図７のＤ−Ｄ線に沿った断面図である。このインソール２４は、ベース２６、２つの指球部２８、踵部３０、拇指部３２、カップ３４及び生地３６を備えている。
【００３２】
ベース２６は、図２から図５に示されたインソール６のベース１０と同等の材質からなる。指球部２８は、図２から図５に示されたインソール６の指球部１２と同等の材質からなる。指球部２８の材質とベース２６の材質とは、互いに異なる。指球部２８の反発弾性率Ｒｐは、ベース２６の反発弾性率Ｒｂよりも大きい。この指球部２８は、反発弾性に優れる。指球部２８の反発弾性率Ｒｐとベース２６の反発弾性率Ｒｂとの比（Ｒｐ／Ｒｂ）は、１．１以上１．９以下が好ましい。比（Ｒｐ／Ｒｂ）は１．２以上がより好ましく、１．３以上が特に好ましい。比（Ｒｐ／Ｒｂ）は１．８以下がより好ましく、１．７以下が特に好ましい。
【００３３】
指球部２８の厚みは、１ｍｍ以上が好ましい。厚みが１ｍｍ未満であると、靴の運動性が不十分となるおそれがある。この観点から、厚みは２ｍｍ以上がより好ましく、３ｍｍ以上が特に好ましい。厚みは通常、７ｍｍ以下である。
【００３４】
反発弾性と履き心地との両立の観点から、指球部２８がベース２６よりも低硬度であることが好ましい。両者の高度差は、５以上１０以下が好ましい。指球部２８のＣ硬度は、３０以上３５以下が好ましい。
【００３５】
踵部３０は、カップ３４に囲まれている。踵部３０は、図２から図５に示されたインソール６の踵部１４と同等の材質からなる。踵部３０は、多孔質のポリマー成形体からなる。踵部３０の材質とベース２６の材質とは、互いに異なる。踵部３０の材質は、指球部２８の材質とも異なる。踵部３０の反発弾性率Ｒｈは、ベース２６の反発弾性率Ｒｂよりも小さい。この踵部３０は、衝撃緩和性に優れる。踵部３０の反発弾性率Ｒｈとベース２６の反発弾性率Ｒｂとの比（Ｒｈ／Ｒｂ）は、０．１以上０．９以下が好ましい。比（Ｒｈ／Ｒｂ）は０．２以上がより好ましく、０．３以上が特に好ましい。比（Ｒｈ／Ｒｂ）は０．８以下がより好ましく、０．７以下が特に好ましい。
【００３６】
踵部３０の厚みは、１ｍｍ以上が好ましい。厚みが１ｍｍ未満であると、衝撃緩和性が不十分となるおそれがある。この観点から、厚みは２ｍｍ以上がより好ましく、３ｍｍ以上が特に好ましい。厚みは通常、７ｍｍ以下である。  
【００３７】
衝撃緩和性の観点から、踵部３０がベース２６よりも低硬度であることが好ましい。両者の高度差は、５以上１０以下が好ましい。踵部３０のＣ硬度は、３０以上３５以下が好ましい。
【００３８】
拇指部３２は、図２から図５に示されたインソール６の拇指部１６と同等の材質からなる。拇指部３２は、多孔質のポリマー成形体からなる。拇指部３２の材質とベース２６の材質とは、互いに異なる。拇指部３２の材質は、指球部２８の材質と同一であってもよい。拇指部３２が設けられなくてもよい。拇指部３２が設けられない場合は、この拇指部３２に相当する部分に、ベース２６の材料が充填される。
【００３９】
拇指部３２の反発弾性率Ｒｔは、ベース２６の反発弾性率Ｒｂよりも大きい。この拇指部３２は、反発弾性に優れる。拇指部３２の反発弾性率Ｒｔとベース２６の反発弾性率Ｒｂとの比（Ｒｔ／Ｒｂ）は、１．１以上１．９以下が好ましい。比（Ｒｔ／Ｒｂ）は１．２以上がより好ましく、１．３以上が特に好ましい。比（Ｒｔ／Ｒｂ）は１．８以下がより好ましく、１．７以下が特に好ましい。
【００４０】
拇指部３２の厚みは、１ｍｍ以上が好ましい。厚みが１ｍｍ未満であると、靴の運動性が不十分となるおそれがある。この観点から、厚みは２ｍｍ以上がより好ましく、３ｍｍ以上が特に好ましい。厚みは通常、７ｍｍ以下である。
【００４１】
反発弾性と履き心地との両立の観点から、拇指部３２がベース２６よりも低硬度であることが好ましい。両者の高度差は、５以上１０以下が好ましい。拇指部３２のＣ硬度は、３０以上３５以下が好ましい。
【００４２】
カップ３４は、底部３８と側壁４０とからなる。底部は、ベース２６の底面に貼り付けられている。側壁４０は、ベース２６から起立している。カップ３４は、ベース２６よりも高硬度の材質からなる。両者の硬度差は、２０以上４０以下が好ましい。カップ３４のＣ硬度は、７０以上８０以下が好ましい。このカップ３４により、ベース２６の形状が保持される。カップ３４が配されることで、安定性が高められる。
【００４３】
図９（ａ）から明らかなように、生地３６はベース２６の上面に張り合わされている。生地３６は、指球部２８、踵部３０及び拇指部３２の上面をも覆っている。生地３６には通常、編布が用いられる。生地３６により、インソール２４と足との摩擦係数が高められている。
【００４４】
図８及び図９から明らかなように、指球部２８及び拇指部３２には、多数の貫通孔４２が形成されている。この貫通孔４２は、生地３６をも貫通している。貫通孔４２により摩擦係数が高められ、インソール２４と足とのスリップが抑制される。反発弾性に優れた指球部２８及び拇指部３２と、スリップを抑制する貫通孔４２との相乗効果により、靴の運動性が高められる。
【産業上の利用可能性】
【００４５】
本発明に係るインソールは、種々の靴に適用されうる。
【図面の簡単な説明】
【００４６】
【図１】図１は、本発明の一実施形態に係る靴が示された部分切り欠き正面図である。
【図２】図２は、図１の靴のインソールが示された斜視図である。
【図３】図３（ａ）は図２のインソールの平面図であり、図３（ｂ）はその正面図である。
【図４】図４は、図２のインソールの底面図である。
【図５】図５（ａ）は図４のＡ−Ａ線に沿った断面図であり、図５（ｂ）は図３のＢ−Ｂ線に沿った断面図であり、図５（ｃ）は図３のＣ−Ｃ線に沿った断面図であり、図５（ｄ）は図３のＤ−Ｄ線に沿った断面図である。
【図６】図６は、図２のインソールが足の骨格と共に示された断面図である。
【図７】図７（ａ）は本発明の他の実施形態に係るインソールが示された平面図であり、図７（ｂ）はその正面図である。
【図８】図８は、図７のインソールが示された底面図である。
【図９】図９（ａ）は図８のＡ−Ａ線に沿った断面図であり、図９（ｂ）は図７のＢ−Ｂ線に沿った断面図であり、図９（ｃ）は図７のＣ−Ｃ線に沿った断面図であり、図９（ｄ）は図７のＤ−Ｄ線に沿った断面図である。
【符号の説明】
【００４７】
２・・・靴
４・・・アウトソール
６、２４・・・インソール
８・・・アッパー
１０、２６・・・ベース
１２、２８・・・指球部
１４、３０・・・踵部
１６、３２・・・拇指部
１８・・・補強シート
２０、３６・・・生地
２２、４２・・・貫通孔
３４・・・カップ
３８・・・底部
４０・・・側壁
【図１】
2005204902.tif 000003
【図２】
2005204902.tif 000004
【図３】
2005204902.tif 000005
【図４】
2005204902.tif 000006
【図５】
2005204902.tif 000007
【図６】
2005204902.tif 000008
【図７】
2005204902.tif 000009
【図８】
2005204902.tif 000010
【図９】
2005204902.tif 000011